(57)【要約】  一層の小型化が可能な情報入力装置を提供する。  情報入力装置（１）は、操作入力を受け付ける操作部（１１）と、手のひらの静脈像を入力する静脈センサ（４）を備える。手首ガイド（５）は、操作部（１１）および表示部（８）の奥手側に、前方起立壁（１３）を備える。前方起立壁（１３）は、操作部（１１）および表示部（８）と、静脈センサ（４）との間に設けられ、操作部（１１）および表示部（８）と、静脈センサ（４）とを区画する。前方起立壁（１３）は、操作部（１１）および表示部（８）を静脈センサ（４）の方向から目隠しする。手首ガイド（５）は、静脈センサ（４）に翳される手の手首を支持する手首支持部（１４）を、前方起立壁（１３）の上端に備える。静脈センサ（４）は、手首ガイド（５）と、静脈センサ（４）の奥手側にある指ガイド（１６）との間に設けられる。
2013073016.tif 000002
【特許請求の範囲】
【請求項１】
操作入力を受け付ける第１入力部と、
手のひらから生体情報の入力を受け付ける第２入力部と、
前記第１入力部と前記第２入力部との間にあって、前記第２入力部の方向から前記第１入力部の目隠しとなる起立壁と、
前記起立壁の上端にあって、前記第２入力部が前記生体情報の入力を受け付ける手の手首を支持する手首支持部と、
を備えることを特徴とする情報入力装置。
【請求項２】
前記手首支持部は、前記起立壁上端から前記第１入力部方向に向かって庇状に形成されていることを特徴とする請求の範囲第１項記載の情報入力装置。
【請求項３】
前記第１入力部が受け付けた前記操作入力にもとづく表示をおこなう表示部を、前記手首支持部の直下に備えることを特徴とする請求の範囲第２項記載の情報入力装置。
【請求項４】
前記起立壁は、前記第１入力部の方向に向かって傾いていることを特徴とする請求の範囲第１項または請求の範囲第２項記載の情報入力装置。
【請求項５】
前記起立壁の両側に、前記第１入力部の左右方向からの目隠しとなる側方起立壁を前記起立壁と一体にして備えることを特徴とする請求の範囲第３項記載の情報入力装置。
【請求項６】
前記第２入力部を挟んで前記手首支持部の反対側に、前記手の指を支持する指支持部を備えることを特徴とする請求の範囲第１項乃至請求の範囲第５項のいずれか１項に記載の情報入力装置。
【請求項７】
箱体の上部を開放して、開放端で前記指を支持可能であり、底面に前記第２入力部が臨む窓と、前記指支持部を挿通するスリットと、を有し、前記指支持部をガイドにして着脱自在な第２の指支持部を備えることを特徴とする請求の範囲第６項記載の情報入力装置。
【請求項８】
前記第２の指支持部は、上部を矩形に開放して、前記第２入力部を挟んで前記手首支持部に対向する端辺に第２指から第４指の三指を支持する三指支持部を備え、前記三指支持部の両側の端辺に、第１指または第５指を支持する第１指／第５指支持部を備えることを特徴とする請求の範囲第７項記載の情報入力装置。
【発明の詳細な説明】
【技術分野】
【０００１】
本発明は、情報入力装置に関する。
【背景技術】
【０００２】
ユーザの認証技術の１つとして、ユーザにパスワード入力を求め、あらかじめ登録したパスワードと照合してユーザの認証をおこなうことが広くおこなわれている。しかしながら、ユーザが記憶できる情報は、あまり多くはなく、金融機関などでは、４桁の数字がパスワードとして用いられている。簡単なパスワードは、個人情報から類推可能であったりして、必ずしも十分にセキュリティが確保されているとは言えない。【０００３】
そこで、個人を識別可能な生体情報を用いたユーザ認証が、パスワードを用いたユーザ認証に代わるものとして普及し始めている。たとえば、認証に利用可能とされる生体情報として、指紋、目の網膜や虹彩、顔、血管、ＤＮＡ（Deoxyribo Nucleic Acid）などが知られている。【０００４】
ただし、生体情報を用いたユーザ認証は、未だパスワードを用いたユーザ認証に置き換わるものではなく、現在は、両者が併存する過渡的な状態にある。たとえば、銀行などの窓口は、暗証番号による認証をおこなうユーザ向けに、暗証番号（パスワード）の入力キーと、暗証番号の入力キーを外部から遮る遮蔽カバーを有する暗証番号入力装置を備える。また、銀行などの窓口は、たとえば、手のひらの静脈による認証をおこなうユーザ向けに、手のひらを撮像する非接触センサユニットと、手の手首を支持する前面ガイドを有する認証用撮像装置を備える。
【先行技術文献】
【特許文献】
【０００５】
【特許文献１】特開２０１１−２８５０８号公報
【特許文献２】特開２００６−１１９８８号公報
【発明の概要】
【発明が解決しようとする課題】
【０００６】
しかしながら、銀行などの窓口は、暗証番号入力装置（情報入力装置）と認証用撮像装置（情報入力装置）を設置するのに十分なスペースを確保するのが容易でない場合が多い。また、必要時（たとえば、顧客応対時、あるいは営業時）などに暗証番号入力装置と認証用撮像装置を窓口に設置し、不要時にロッカー等の収容スペースに収容する場合、装置が２つあるため、設置および収容作業が面倒であった。【０００７】
また、パスワードを用いたユーザ認証から生体情報を用いたユーザ認証に切替をおこなう場合などがあり、暗証番号入力装置と認証用撮像装置は、いずれか一方の使用に限らず、双方を使用する場合がある。そのため、暗証番号入力装置と認証用撮像装置は、一層の小型化が求められている。【０００８】
特に、手のひらの静脈を生体情報として用いる場合、手のひらを正位置に支持するためのガイドを設ける必要があり、認証用撮像装置は、省スペース化が容易でない。
本発明は、このような点に鑑みてなされたものであり、一層の小型化が可能な情報入力装置の提供を目的とする。
【課題を解決するための手段】
【０００９】
上記課題を解決するために、情報入力装置は、第１入力部と、第２入力部と、起立壁と、手首支持部と、を備える。第１入力部は、操作入力を受け付ける。第２入力部は、手のひらから生体情報の入力を受け付ける。起立壁は、第１入力部と第２入力部との間にあって、第２入力部の方向から第１入力部の目隠しとなる。手首支持部は、起立壁の上端にあって、第２入力部が生体情報の入力を受け付ける手の手首を支持する。
【発明の効果】
【００１０】
上記の情報入力装置によれば、一層の小型化が可能である。
本発明の上記および他の目的、特徴および利点は本発明の例として好ましい実施の形態を表す添付の図面と関連した以下の説明により明らかになるであろう。
【図面の簡単な説明】
【００１１】
【図１】実施形態の情報入力装置の外観を示す図である。
【図２】実施形態の情報入力装置からガイドを取り外したときの外観を示す図である。
【図３】実施形態の情報入力装置に装着されるガイドの外観を示す図である。
【図４】実施形態の情報入力装置の概略構成を示す俯瞰図である。
【図５】実施形態の情報入力装置の側面を示す図である。
【図６】実施形態の情報入力装置における手のひらの静脈を撮像する時の様子を示す俯瞰図である。
【図７】実施形態の情報入力装置における手のひらの静脈を撮像する時の様子を示す側面図である。
【図８】実施形態の情報入力装置の構成を示す図である。
【図９】実施形態の情報入力装置を備える登録装置、および登録装置を含む認証システムを示す図である。
【発明を実施するための形態】
【００１２】
以下、実施形態を図面を参照して説明する。
まず、実施形態の情報入力装置について、図１から図４を用いて説明する。図１は、実施形態の情報入力装置の外観を示す図である。図２は、実施形態の情報入力装置からガイドを取り外したときの外観を示す図である。図３は、実施形態の情報入力装置に装着されるガイドの外観を示す図である。図４は、実施形態の情報入力装置の概略構成を示す俯瞰図である。
【００１３】
情報入力装置１は、暗証番号入力または手のひら静脈の撮像画像を取得して本人認証が可能な確認装置である。また、情報入力装置１は、認証に用いる暗証番号、あるいは認証に用いる手のひら静脈の撮像画像を取得してテンプレート登録が可能な登録装置である。
【００１４】
情報入力装置１は、卓上型であり、たとえば、金融機関の窓口などでカウンターテーブルに載置されて用いられる。情報入力装置１は、このような使用環境下における利便性の向上のために小型化が求められている。また、情報入力装置１は、使用時にカウンターテーブルに載置され、使用後に所定の収納位置（たとえば、ロッカーや引き出し、棚など）に片付けられる場合があり、持ち運びなどの取り扱いが容易であることも求められている。
【００１５】
情報入力装置１は、暗証番号の入力と、手のひらの静脈パタンの入力と、磁気ストライプに記録された情報の入力と、ＩＣ（Integrated Circuit）カードに記録された情報の入力とをおこなうことができる。情報入力装置１は、着脱自在なガイド２を備える。情報入力装置１は、手のひらの静脈パタンの入力をおこなう場合にガイド２を装着し、手のひらの静脈パタンの入力をおこなわない場合にガイド２を取り外す。
【００１６】
情報入力装置１は、大きな直方体状の箱体の一側に、小さな直方体状の箱体を合わせたような筺体１０を有する。大小２つの直方体は、上面および底面の長手方向を奥行き方向とするとともに、上面および底面を略面一にして接続する。
【００１７】
情報入力装置１は、筺体１０の大きな箱体を形成する方に、静脈センサ４と、操作部１１と、ＩＣリーダライタ１２を備える。情報入力装置１は、筺体１０の小さな箱体を形成する方に、ＭＳ（Magnetic Stripe：磁気ストライプ）リーダ９を備える。
【００１８】
静脈センサ４は、手のひらを撮像するイメージセンサ（たとえば、ＣＭＯＳ（Complementary Metal Oxide Semiconductor）センサ、ＣＣＤ（Charge Coupled Device）センサなど）と、集光レンズと、被写体に照射して被写体との距離を測距するための複数の発光素子（ＬＥＤ：Light Emitting Diode）とを備える。
【００１９】
情報入力装置１は、筺体１０の前面にＩＣリーダライタ１２にＩＣカードを挿入する開口を備える。ＩＣリーダライタ１２は、ＩＣカードが備えるＩＣチップから所要の情報の読み出しをおこなったり、所要の情報の書き込みをおこなったりすることができる。たとえば、情報入力装置１は、ＩＣリーダライタ１２により照合用の生体情報（登録用テンプレート）をＩＣチップに記録することができる。また、情報入力装置１は、ＩＣリーダライタ１２により照合用の生体情報をＩＣチップから読み出すことができる。
【００２０】
情報入力装置１は、ＩＣカードを挿入する開口を正面にして筺体１０の上面の手前側に、操作部１１を備える。操作部１１は、「０」から「９」までの数字キーと、訂正キーと、確定キーの合計１２個の操作スイッチを４行３列に配置する。操作部１１の奥手側には、表示部８を備える。表示部８は、４つのＬＥＤからなり、操作部１１で受け付けた暗証番号の入力桁数を表示する。
【００２１】
なお、表示部８は、ＬＣＤ（Liquid Crystal Display：液晶ディスプレイ）などの表示装置であってもよい。また、表示部８がＬＣＤである場合に、操作部１１は、ＬＣＤ上に設けられたタッチパネルなどであってもよい。
【００２２】
情報入力装置１は、筺体１０の上面に手首ガイド５を備える。手首ガイド５は、透明な樹脂製であり、前方起立壁１３、側方起立壁７および手首支持部１４を含んで構成される。
【００２３】
手首ガイド５は、筺体１０の上面であって、操作部１１および表示部８の奥手側に、前方起立壁１３を備える。前方起立壁１３は、操作部１１および表示部８と、静脈センサ４との間に設けられ、操作部１１および表示部８と、静脈センサ４とを区画する。前方起立壁１３は、所要の高さがあり、操作部１１および表示部８を静脈センサ４の方向から観察できないようにする目隠しとして機能する。
【００２４】
前方起立壁１３は、静脈センサ４の方向から操作部１１および表示部８を視認不能または視認困難に塗装されている。なお、前方起立壁１３は、透過率の低い材質、屈折率の大きな形状、または遮蔽シールの貼付や凹凸加工などの表面処理によって、静脈センサ４の方向からの視認性を低下させるものであってもよい。
【００２５】
手首ガイド５は、静脈センサ４に翳される手の手首を支持する手首支持部１４を、前方起立壁１３の上端に備える。手首支持部１４は、手首に合わせた曲面形状であり、手首の位置、傾きを規制して、手のひらを静脈センサ４の撮像範囲に的確に誘導する。また、手首支持部１４は、前方起立壁１３の上端から操作部１１の方向に庇状にせり出す。これにより、手首支持部１４は、静脈センサ４の方向の比較的高い視点から、操作部１１および表示部８を目隠しする機能を有する。たとえば、手首ガイド５は、表示部８の直上に手首支持部１４を備えることで、情報入力装置１の上方からの覗きこみに対しても表示部８を目隠しすることができる。これにより、金融機関の窓口で対面する係員が情報入力装置１の操作説明を身を乗り出しておこなうような場合であっても、顧客の入力内容や入力操作は、係員に対して目隠しされる。
【００２６】
このように、情報入力装置１は、手首支持部１４が前方起立壁１３の上端から操作部１１の方向に庇状にせり出すことで、前方起立壁１３の高さを抑制しながら操作部１１および表示部８を目隠しする機能を向上している。
【００２７】
手首ガイド５は、前方起立壁１３の両側に側方起立壁７を備える。側方起立壁７は、前方起立壁１３と同様に透明な樹脂製であり、情報入力装置１の左右方向から操作部１１および表示部８を視認不能または視認困難に塗装されている。したがって、前方起立壁１３および側方起立壁７は、情報入力装置１の前方（手前側）および上方を開放したフード状の目隠しとなり、暗証番号の入力操作および入力内容を第三者が覗き見ることを防止する。
【００２８】
また、前方起立壁１３および側方起立壁７は、一体成形により剛性が向上する。前方起立壁１３と一体成形された側方起立壁７は、筺体１０の上面から操作部１１の方向に傾いて起立する前方起立壁１３の倒れを防止する。これにより、情報入力装置１は、手首支持部１４による手首支持の安定感を向上させている。
【００２９】
情報入力装置１は、筺体１０の上面であって、手首支持部１４の奥手側に指ガイド１６を備える。指ガイド１６は、矩形かつ板状であり、上端部で指を支持する。指ガイド１６は、標準的な手のひら長（たとえば、１１０ｍｍ）だけ手首支持部１４と離間して設けられる。
【００３０】
情報入力装置１は、筺体１０の上面であって手首支持部１４の奥手側に、静脈センサ４を備える。静脈センサ４は、筺体１０の上面にある矩形状の開口から上方を臨む。静脈センサ４は、手首ガイド５と、筺体１０の上面であって静脈センサ４の奥手側にある指ガイド１６との間に設けられる。静脈センサ４は、筺体１０の上面をセンシング（撮像）方向とし、手首ガイド５と指ガイド１６に支持される手の手のひらの静脈像を撮像する。
【００３１】
すなわち、情報入力装置１は、操作部１１と手首ガイド５、あるいは操作部１１と手首ガイド５に加えて表示部８を含む操作入力領域２９を備える。操作入力領域２９は、手首ガイド５により操作部１１、あるいは操作部１１に加えて表示部８が操作者以外の第３者から目隠しされる。
【００３２】
また、情報入力装置１は、静脈センサ４と手首ガイド５、あるいは静脈センサ４と手首ガイド５に加えて指ガイド１６を含む生体情報取得領域２８を備える。生体情報取得領域２８は、手首ガイド５により静脈センサ４がセンシング対象とする手を好適に支持する。
【００３３】
このように、情報入力装置１は、手首ガイド５を共有する形で操作入力領域２９と生体情報取得領域２８とを隣接して配置する。これにより、情報入力装置１は、小型化を実現し、狭いスペースでも設置を可能としている。
【００３４】
情報入力装置１は、コンピュータと接続する電源ケーブル６ａおよび信号ケーブル６ｂと、筺体１０の裏面側で接続する。電源ケーブル６ａは、コンピュータと情報入力装置１とを、コンピュータから情報入力装置１に電源を供給可能に接続する。信号ケーブル６ｂは、コンピュータと情報入力装置１とを通信可能に接続する。電源ケーブル６ａおよび信号ケーブル６ｂは、たとえば、ＵＳＢ（Universal Serial Bus：ユニバーサル・シリアル・バス）ケーブルとすることができる。
【００３５】
情報入力装置１は、筺体１０の小さな箱体を形成する方に、ＭＳリーダ９を備える。ＭＳリーダ９は、上方にスリットを開放し、スリットの奥側から差込まれて手前側にスライド操作されたＭＳカードから情報を読み取る。スリットは、静脈センサ４の側方から操作部１１の側方に至る長さを有し、筺体１０の小さな箱体を長手方向に貫通する。情報入力装置１は、ガイド２を着脱自在とし、ガイド２を取り外した状態でのＭＳカードスライド操作を容易にしている。これにより、情報入力装置１は、ＭＳカードスライド操作の操作者とガイド２との干渉を避けることができ、ＭＳリーダ９を備えながらにして筺体１０の小型化を可能にしている。
【００３６】
ガイド２は、静脈センサ４が手のひらの静脈像を安定して取得可能なように、手を適切な姿勢に案内可能な形状をしている。ガイド２は、底面２１を矩形として上方に向かって拡開した箱形（四角錐台）状であり、上方を開放した凹室２２を有する。凹室２２は、底面２１の四辺から起立した前方壁１９と、後方壁２５と、２つの側方壁２６、および底面２１とから形成される。
【００３７】
底面２１は、中央部に窓部１５を備え、前方壁１９に沿ってスリット２７を備える。窓部１５は、ガイド２の装着時に静脈センサ４に対応する位置にあり、開口した領域内に静脈センサ４を内包する大きさを有する。
【００３８】
スリット２７は、ガイド２の装着時に指ガイド１６に対応する位置にあり、指ガイド１６を挿通可能な大きさと形状を有する。ガイド２は、指ガイド１６をスリット２７に挿通することにより、適正な装着がなされるように案内される。
【００３９】
ガイド２は、開放端側となる４辺のうち３辺に鍔状の指支持部を備える。指支持部は、三指支持部１７と、三指支持部１７の両側に第１指／第５指支持部３を備える。三指支持部１７は、静脈センサ４を挟んで手首ガイド５と対向する辺に位置し、第２指から第４指までの三指を支持する。第１指／第５指支持部３は、第１指または第５指のいずれか一方を支持する。三指支持部１７は、底面２１から起立する前方壁１９の上端に位置する。第１指／第５指支持部３は、底面２１から起立する側方壁２６の上端に位置する。
【００４０】
三指支持部１７と第１指／第５指支持部３は、所定の高さ（たとえば、５ｍｍ）の段差２０を介して接続する。後方壁２５の上端部とは、第１指／第５指支持部３は、所定の高さ（たとえば、５ｍｍ）の段差２４を介して接続する。
【００４１】
ガイド２は、側面の奥手側下端に側方ガイド２３を左右に一対備える。側方ガイド２３は、舌状の起立壁であり、筺体１０へのガイド２の装着時にガイド２の正位置への装着を案内する。また、ガイド２は、図示されない半球状の突起を底面２１の裏面側に２つ備える。２つの半球状の突起は、筺体１０の上面にある２つの位置決めガイド１８とそれぞれ嵌合してガイド２を正位置に案内する。
【００４２】
このように、情報入力装置１は、筺体１０にガイド２を装着することで、手首支持部１４と、三指支持部１７と、第１指／第５指支持部３とで手のひらを正位置に支持することができる。また、情報入力装置１は、ガイド２を不透過性の樹脂で形成することで、凹室２２内への外乱光の侵入を制限し、手のひらの静脈像を好適に取得可能になる。
【００４３】
なお、情報入力装置１は、筺体１０へのガイド２の装着を必須とせず、手首支持部１４と、指ガイド１６とで手のひらを支持することもできる。たとえば、外乱光の少ない環境下では、情報入力装置１は、筺体１０へのガイド２の装着を省略して、手のひらの静脈像を簡便に取得することができる。
【００４４】
次に、実施形態のガイド２が筺体１０に装着されている状態、および情報入力装置１に手のひらが載置された時の様子について、図５から図７を用いて説明する。図５は、実施形態の情報入力装置の側面を示す図である。図６は、実施形態の情報入力装置における手のひらの静脈を撮像する時の様子を示す俯瞰図である。図７は、実施形態の情報入力装置における手のひらの静脈を撮像する時の様子を示す側面図である。なお、図５に図示する情報入力装置１は、ガイド２の着脱の理解を容易にするためガイド２を破線で表している。
【００４５】
手首ガイド５は、側面から観察したときに「く」の字状に屈曲した前方起立壁１３と、前方起立壁１３の上端に手首支持部１４を備える。前方起立壁１３は、筺体１０の上面から角度ｒ２（たとえば、１０°）の傾きを有して立ち上がり、中間部で角度ｒ１（たとえば、１０°）を有するように屈曲する。角度ｒ２は、静脈センサ４の撮像範囲（画角内）から前方起立壁１３を後退させる。これにより、情報入力装置１は、手のひらの撮影範囲の拡大と、表示部８および操作部１１の配置領域の拡大と、操作部１１における操作空間の拡大と、を図ることができる。
【００４６】
指ガイド１６は、筺体１０の上面から角度ｒ４（たとえば、１０°）の傾きを有して立ち上がる。角度ｒ４は、静脈センサ４の撮像範囲（画角内）Ａから指ガイド１６を後退させる。これにより、情報入力装置１は、手のひらの撮影範囲の拡大を図ることができる。
【００４７】
指ガイド１６は、筺体１０へのガイド２の装着時に正しい装着位置への案内をおこなう機能を有する。ガイド２は、指ガイド１６をスリット２７に挿通させることで正しい装着位置に案内される。指ガイド１６をスリット２７に挿通したガイド２は、底面２１の裏面側に備える半球状の突起を、筺体１０の上面にある位置決めガイド１８と嵌合して正位置に装着される。ガイド２は、スリット２７に挿通された指ガイド１６の左右方向の遊びに対して、両側下端に備える側方ガイド２３が左右方向における正位置の案内をおこなう。これにより、情報入力装置１は、筺体１０の正しい装着位置にガイド２の装着をおこなうことができる。
【００４８】
正しく装着されたガイド２は、第１指／第５指支持部３と三指支持部１７が水平となり、ガイド２が支持する手のひらと静脈センサ４とを正対させる。装着されたガイド２は、後方壁２５が筺体１０の上面から角度ｒ３（たとえば、１０°）の傾きを有して立ち上がる。角度ｒ３は、静脈センサ４の撮像範囲Ａから後方壁２５を後退させる。ガイド２は、前方壁１９および側方壁２６についても後方壁２５と同様にして所定の傾きを設ける。これにより、情報入力装置１は、ガイド２装着時の手のひらの撮影範囲の拡大を図ることができる。
【００４９】
正しく装着されたガイド２は、三指支持部１７が手首支持部１４より所定の高さｄ１（たとえば、５ｍｍ）だけ低い位置に位置する。指ガイド１６の上端と三指支持部１７は、略同一の高さに位置する。第１指／第５指支持部３は、三指支持部１７と段差２０を介して接続し、三指支持部１７より所定の高さｄ２（たとえば、５ｍｍ）だけ低い位置に位置する。
【００５０】
このように、情報入力装置１は、手首と、第２指から第４指と、第１指および第５指とは所定の段差を設けて支持することにより、静脈センサ４による手のひら静脈の好適なセンシングをおこなうことができる。
【００５１】
なお、ガイド２は、後方壁２５の上端を側方壁２６よりも段差２４の分だけ低くしている。これにより、情報入力装置１は、手首または手首近傍までを静脈センサ４の撮像範囲Ａとすることができる。
【００５２】
情報入力装置１は、撮像範囲Ａに五指の指股部を含めることで、手の姿勢判定、および手のひらの範囲の特定を容易にしている。また、情報入力装置１は、撮像範囲Ａに手首または手首近傍を含めることで、手の姿勢判定、および手のひらの範囲の特定を容易にしている。
【００５３】
次に、実施形態の情報入力装置の構成について、図８を用いて説明する。図８は、実施形態の情報入力装置の構成を示す図である。
情報入力装置１は、制御部７０と、通信部７１と、記憶部７２と、画像処理部７３と、暗号化処理部７４と、入出力インターフェース部７５を備える。制御部７０は、各処理部を統括的に制御する。記憶部７２は、所要の情報を一時的に記憶する。画像処理部７３は、画像情報について画像処理をおこなう。暗号化処理部７４は、所要の情報を暗号化する。
【００５４】
入出力インターフェース部７５は、静脈センサ４と、操作部１１と、表示部８と、ＩＣリーダライタ１２と、ＭＳリーダ９と、ＳＡＭ（Security Access Module）部７９を接続する。通信部７１は、コンピュータと接続してデータの送受信をおこなう。ＳＡＭ部７９は、情報入力装置１のセキュリティを担保する。たとえば、ＳＡＭ部７９は、情報入力装置１を一意に特定可能な識別情報を記憶して情報入力装置１の正当性の保証をおこなったり、暗号鍵または復号鍵を記憶して情報入力装置１が入出力をおこなう情報の暗号化または複合化をおこなったりする。
【００５５】
このような構成により、情報入力装置１は、手のひらの静脈像の入力、利用者による操作入力、ＩＣカードに記録された所要の情報の入力、ＭＳカードに記録された所要の情報の入力をおこなうことができる。
【００５６】
次に、実施形態の情報入力装置が用いられる認証システムについて、図９を用いて説明する。図９は、実施形態の情報入力装置を備える登録装置、および登録装置を含む認証システムを示す図である。
【００５７】
認証システム５０は、生体の特徴を認識して個人を特定して認証する情報処理システムの１つであり、たとえば、銀行システムなどで顧客の認証をおこなう。認証システム５０は、登録装置６０、複数の自動預払装置５３、および認証サーバ５１などの情報処理装置と、ネットワーク５５を含んで構成される。
【００５８】
認証サーバ５１は、個人を識別するための識別情報と、生体認証前にあらかじめ登録される照合情報（テンプレート）とを関連付けて記憶する。個人を識別するための識別情報は、利用者に直接的（たとえば、利用者番号）に、あるいは間接的（たとえば、口座番号）に付されたユニークなＩＤ（IDentification）である。
【００５９】
自動預払装置５３は、金融機関の屋内にあるＡＴＭ（Automated Teller Machine）コーナ５２や、ＡＴＭブース５４に、１台または複数台が設置される。自動預払装置５３は、金融取引に先立ち、利用者を認証する際に、生体認証をおこなう認証装置の１つである。自動預払装置５３は、ＩＣリーダライタ５６とセンサユニット５７を備える。
【００６０】
センサユニット５７は、撮像装置を備え、利用者の手のひらの静脈像を撮像する。自動預払装置５３は、ＩＣリーダライタ５６が利用者のＩＣカード（たとえば、ＩＣチップ内蔵型キャッシュカード）から読み取る識別情報から特定する照合情報と、センサユニット５７から取得する利用者の手のひらの静脈像とから、利用者の認証をおこなう。
【００６１】
登録装置６０は、銀行の窓口などに設けられ、係員の指示または操作にしたがい、利用者のテンプレート登録をおこなう装置である。登録装置６０は、処理装置６１と、ディスプレイ６２と、情報入力装置１を含んで構成され、必要に応じてキーボード６３と、マウス６４等を含んで構成される。情報入力装置１は、撮像装置を内蔵し、利用者の手のひらの静脈像を撮像する。情報入力装置１は、撮像した手のひらの静脈像、または手のひらの静脈像にもとづいて生成した照合情報を出力する。情報入力装置１は、手のひらの静脈像、または照合情報を処理装置６１の記憶部、認証サーバ５１の記憶部、または利用者のＩＣカード６５の記憶部のうち少なくともいずれか１つに記録する。
【００６２】
なお、図９に示す認証システム５０は、情報入力装置１を処理装置６１と接続して登録装置６０を構成したが、すでに照合情報がテンプレート登録されている場合、生体認証をおこなう認証装置とすることもできる。たとえば、自動預払装置５３は、センサユニット５７を情報入力装置１に置き換えることもできる。
【００６３】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【００６４】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００６５】
１  情報入力装置
２  ガイド
３  第１指／第５指支持部
４  静脈センサ
５  手首ガイド
６ａ  電源ケーブル
６ｂ  信号ケーブル
７  側方起立壁
８  表示部
９  ＭＳリーダ
１０  筺体
１１  操作部
１２  ＩＣリーダライタ
１３  前方起立壁
１４  手首支持部
１５  窓部
１６  指ガイド
１７  三指支持部
１８  位置決めガイド
１９  前方壁
２０  段差
２１  底面
２２  凹室
２３  側方ガイド
２４  段差
２５  後方壁
２６  側方壁
２７  スリット
２８  生体情報取得領域
２９  操作入力領域
【図１】
2013073016.tif 000003
【図２】
2013073016.tif 000004
【図３】
2013073016.tif 000005
【図４】
2013073016.tif 000006
【図５】
2013073016.tif 000007
【図６】
2013073016.tif 000008
【図７】
2013073016.tif 000009
【図８】
2013073016.tif 000010
【図９】
2013073016.tif 000011
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
操作入力を受け付ける第１入力部と、
手のひらから生体情報の入力を受け付ける第２入力部と、
前記第１入力部と前記第２入力部との間にあって、前記第２入力部の方向から前記第１入力部の目隠しとなる起立壁と、
前記起立壁の上端にあって、前記第２入力部が前記生体情報の入力を受け付ける手の手首を支持する手首支持部と、
を備えることを特徴とする情報入力装置。
【請求項２】
前記手首支持部は、前記起立壁上端から前記第１入力部方向に向かって庇状に形成されていることを特徴とする請求項１記載の情報入力装置。
【請求項３】
前記第１入力部が受け付けた前記操作入力にもとづく表示をおこなう表示部を、前記手首支持部の直下に備えることを特徴とする請求項２記載の情報入力装置。
【請求項４】
前記起立壁は、前記第１入力部の方向に向かって傾いていることを特徴とする請求項１または請求項２に記載の情報入力装置。
【請求項５】
前記起立壁の両側に、前記第１入力部の左右方向からの目隠しとなる側方起立壁を前記起立壁と一体にして備えることを特徴とする請求項３記載の情報入力装置。
【請求項６】
前記第２入力部を挟んで前記手首支持部の反対側に、前記手の指を支持する指支持部を備えることを特徴とする請求項１乃至請求項５のいずれか１項に記載の情報入力装置。
【請求項７】
箱体の上部を開放して、開放端で前記指を支持可能であり、底面に前記第２入力部が臨む窓と、前記指支持部を挿通するスリットと、を有し、前記指支持部をガイドにして着脱自在な第２の指支持部を備えることを特徴とする請求項６記載の情報入力装置。
【請求項８】
前記第２の指支持部は、上部を矩形に開放して、前記第２入力部を挟んで前記手首支持部に対向する端辺に第２指から第４指の三指を支持する三指支持部を備え、前記三指支持部の両側の端辺に、第１指または第５指を支持する第１指／第５指支持部を備えることを特徴とする請求項７記載の情報入力装置。
【国際調査報告】
2013073016.tif 000012
2013073016.tif 000013
2013073016.tif 000014
2013073016.tif 000015